(57)【要約】【課題】  非接触ＩＣカードや外部装置の仕様変更があっても、それに対応できるように非接触ＩＣカード通信調整板の特性を変更することができる特性変更カードを提供する。【解決手段】特性変更カード１，１Ａは、長方形状のベースシート１０と、ベースシート１０の少なくとも両側長辺部それぞれに沿って設けられた特性変更部１１，１１Ａとを有し、特性変更部１１，１１Ａは、非接触ＩＣカード３と非接触ＩＣカード通信調整板２との間に挟むように重ねて、非接触ＩＣカード３を外部装置４に向けたときに非接触ＩＣカード３に格納された情報の外部装置４による読み取りを向上させ、または非接触ＩＣカード３と非接触ＩＣカード通信調整板２との間に挟むように重ねて、非接触ＩＣカード３を外部装置４に向けたときに外部装置４に面しない側に重ねた非接触ＩＣカード３に格納された情報の外部装置４による読み取り防止を向上させる。【選択図】図１
2011013799.tif 000002
【特許請求の範囲】
【請求項１】
外部装置と電磁波による非接触の通信が可能な非接触ＩＣカードに重ね合わせて通信状態を調整する非接触ＩＣカード通信調整板の特性を変更する、非接触ＩＣカード通信調整板の特性変更カードであって、
長方形状のベースシートと、該ベースシートの少なくとも両側長辺部それぞれに沿って設けられた特性変更部と、を有し、
前記特性変更部は、前記非接触ＩＣカードと前記非接触ＩＣカード通信調整板との間に挟むように重ねて、前記非接触ＩＣカードを前記外部装置に向けたときに前記非接触ＩＣカードに格納された情報の前記外部装置による読み取りを向上させ、または前記非接触ＩＣカードと前記非接触ＩＣカード通信調整板との間に挟むように重ねて、前記非接触ＩＣカードを前記外部装置に向けたときに該外部装置に面しない側に重ねた非接触ＩＣカードに格納された情報の前記外部装置による読み取り防止を向上させることを特徴とする非接触ＩＣカード通信調整板の特性変更カード。
【請求項２】
外部装置と電磁波による非接触の通信が可能な非接触ＩＣカードに重ね合わせて通信状態を調整する非接触ＩＣカード通信調整板の特性を変更する、非接触ＩＣカード通信調整板の特性変更カードであって、
長方形状の透磁性のベースシートと、前記ベースシートの両側長辺部それぞれに沿って設けられたベースシートよりも高透磁性の特性変更部と、を有し、
前記特性変更部は、前記ベースシートに積層され、電磁波を透過させる１つ又は２つ以上の並行する帯状の磁性シートであり、
該帯状の磁性シートそれぞれは、前記ベースシートを前記非接触ＩＣカード通信調整板に重ね合わせた使用状態において該非接触ＩＣカード通信調整板の長辺端に沿う方向に前記ベースシートの一方の短辺部側から他方の短辺部側まで延設したものであり、前記使用状態において非接触ＩＣカード通信調整板の両側長辺端に沿う前記ベースシートの長辺部の外縁、前記ベースシートの一方の短辺部の外縁、および他方の短辺部の外縁までは達しておらず、
前記特性変更部は、前記使用状態において前記ベースシートの上に重ねた前記非接触ＩＣカードを前記外部装置に向けたときに、前記非接触ＩＣカードに格納された情報の前記外部装置による読み取りを向上させることを特徴とする非接触ＩＣカード通信調整板の特性変更カード。
【請求項３】
外部装置と電磁波による非接触の通信が可能な非接触ＩＣカードに重ね合わせて通信状態を調整する非接触ＩＣカード通信調整板の特性を変更する、非接触ＩＣカード通信調整板の特性変更カードであって、
長方形状の透磁性のベースシートと、前記ベースシートの両側長辺部および両側短辺部に沿って設けられた非透磁性の特性変更部と、を有し、
前記特性変更部は、前記ベースシートの両側長辺部および両側短辺部それぞれの外縁まで達して、前記ベースシートの外周縁から離隔した透磁性領域を画成するように設けられ、前記ベースシートを前記非接触ＩＣカード通信調整板に重ね合わせた使用状態において前記ベースシートの上に重ねた前記非接触ＩＣカードを前記外部装置に向けたときに、前記非接触ＩＣカード通信調整板の裏側に重ねた非接触ＩＣカードに格納された情報の前記外部装置による読み取りを不能にするものであることを特徴とする非接触ＩＣカード通信調整板の特性変更カード。
【請求項４】
外部装置と電磁波による非接触の通信が可能な非接触ＩＣカードおよび非接触ＩＣカード通信調整板を収納したままで使用する非接触ＩＣカードケースにおいて、
前記非接触ＩＣカードを収納する非接触ＩＣカード収納部と、該非接触ＩＣカード収納部に収納した非接触ＩＣカードと重ね合わさる位置に前記非接触ＩＣカード通信調整板を収納する通信調整板収納部と、該通信調整板収納部と前記非接触ＩＣカード収納部とを分離している、透磁性の分離板とを有し、
前記分離板は、前記通信調整板収納部に収納した非接触ＩＣカード通信調整板の両側長辺端および両側短辺端まで達して、前記分離板の外周縁から離隔した透磁性領域を画成する非透磁性の特性変更部が設けられていることを特徴とする非接触ＩＣカードケース。
【発明の詳細な説明】
【技術分野】
【０００１】
本発明は、外部装置が発信する電磁波を利用して外部装置と非接触で通信することができる非接触ＩＣカードに重ね合わせて使用し、外部装置と非接触ＩＣカードとの通信状態を調整するための非接触ＩＣカード通信調整板の特性を変更する、非接触ＩＣカード通信調整板の特性変更カードおよび非接触ＩＣカードケースに関する。
【背景技術】
【０００２】
従来の非接触ＩＣカード通信調整板としては、例えば本願出願人が提案した特許文献１、および特許文献２に示すようなものがある。  
すなわち、特許文献１は、電磁シールド効果を有する略四辺形の電磁シール層の片面または両面に該電磁シールド層よりもやや狭い面積を有する高透磁層を積層したものである。そして、高透磁層は、電磁シールド層にほぼ相似の形状を有しており、その周縁外側は電磁シールド層に囲まれるように形成されている。
【０００３】
また、特許文献２も特許文献１と同様に、導電性シートに磁性シートを積層したものであり、磁性シートは、導電性シートの形状より小さい形状であり、導電性シートの外周縁部分には積層しないようにしたものである。
【先行技術文献】
【特許文献】
【０００４】
【特許文献１】特開２００６−３５０７４８号公報
【特許文献２】特許第３８７２４９６号公報
【発明の概要】
【発明が解決しようとする課題】
【０００５】
しかしながら、非接触ＩＣカード通信調整板自体の構成としては特許文献１や特許文献２に例示したもの等があり、それぞれに作用効果を発揮するものであるが、非接触ＩＣカードに格納された情報を読み取るための外部装置の性能によっては、非接触ＩＣカードから情報を読み取ることができないことが有り得るという問題点がある。
【０００６】
また、逆に非接触ＩＣカードないし外部装置の仕様変更により、非接触ＩＣカードに内蔵されたＩＣが高性能化などすると、それまで不都合なく使用していた非接触ＩＣカード通信調整板では、外部装置に面していない非接触ＩＣカード通信調整板の裏側まで電磁波が回り込んでしまって、非接触ＩＣカード通信調整板の裏側に重ねた非接触ＩＣカードの情報を外部装置が読み取ってしまう読取エラーが起こり得るという問題点がある。
【０００７】
本発明は、このような従来の技術が有する問題点に着目してなされたもので、非接触ＩＣカードや外部装置の仕様変更があっても、それに対応できるように非接触ＩＣカード通信調整板の特性を変更することができる非接触ＩＣカード通信調整板の特性変更カードおよび非接触ＩＣカードケースを提供することを目的としている。
【課題を解決するための手段】
【０００８】
かかる目的を達成するための本発明の要旨とするところは、次の各項の発明に存する。［１］  外部装置（４）と電磁波による非接触の通信が可能な非接触ＩＣカード（３）に重ね合わせて通信状態を調整する非接触ＩＣカード通信調整板（２）の特性を変更する、非接触ＩＣカード通信調整板（２）の特性変更カード（１，１Ａ）であって、
長方形状のベースシート（１０）と、該ベースシート（１０）の少なくとも両側長辺部それぞれに沿って設けられた特性変更部（１１，１１Ａ）と、を有し、
前記特性変更部（１１，１１Ａ）は、前記非接触ＩＣカード（３）と前記非接触ＩＣカード通信調整板（２）との間に挟むように重ねて、前記非接触ＩＣカード（３）を前記外部装置（４）に向けたときに前記非接触ＩＣカード（３）に格納された情報の前記外部装置（４）による読み取りを向上させ、または前記非接触ＩＣカード（３）と前記非接触ＩＣカード通信調整板（２）との間に挟むように重ねて、前記非接触ＩＣカード（３）を前記外部装置（４）に向けたときに該外部装置（４）に面しない側に重ねた非接触ＩＣカード（３）に格納された情報の前記外部装置（４）による読み取り防止を向上させることを特徴とする非接触ＩＣカード通信調整板（２）の特性変更カード（１，１Ａ）。
【０００９】
［２］  外部装置（４）と電磁波による非接触の通信が可能な非接触ＩＣカード（３）に重ね合わせて通信状態を調整する非接触ＩＣカード通信調整板（２）の特性を変更する、非接触ＩＣカード通信調整板（２）の特性変更カード（１）であって、
長方形状の透磁性のベースシート（１０）と、前記ベースシート（１０）の両側長辺部それぞれに沿って設けられたベースシート（１０）よりも高透磁性の特性変更部（１１）と、を有し、
前記特性変更部（１１）は、前記ベースシート（１０）に積層され、電磁波を透過させる１つ又は２つ以上の並行する帯状の磁性シートであり、
該帯状の磁性シートそれぞれは、前記ベースシート（１０）を前記非接触ＩＣカード通信調整板（２）に重ね合わせた使用状態において該非接触ＩＣカード通信調整板（２）の長辺端に沿う方向に前記ベースシート（１０）の一方の短辺部側から他方の短辺部側まで延設したものであり、前記使用状態において非接触ＩＣカード通信調整板（２）の両側長辺端に沿う前記ベースシート（１０）の長辺部の外縁、前記ベースシート（１０）の一方の短辺部の外縁、および他方の短辺部の外縁までは達しておらず、
前記特性変更部（１１）は、前記使用状態において前記ベースシート（１０）の上に重ねた前記非接触ＩＣカード（３）を前記外部装置（４）に向けたときに、前記非接触ＩＣカード（３）に格納された情報の前記外部装置（４）による読み取りを向上させることを特徴とする非接触ＩＣカード通信調整板（２）の特性変更カード（１）。
【００１０】
［３］  外部装置（４）と電磁波による非接触の通信が可能な非接触ＩＣカード（３）に重ね合わせて通信状態を調整する非接触ＩＣカード通信調整板（２）の特性を変更する、非接触ＩＣカード通信調整板（２）の特性変更カード（１Ａ）であって、
長方形状の透磁性のベースシート（１０）と、前記ベースシート（１０）の両側長辺部および両側短辺部に沿って設けられた非透磁性の特性変更部（１１Ａ）と、を有し、
前記特性変更部（１１Ａ）は、前記ベースシート（１０）の両側長辺部および両側短辺部それぞれの外縁まで達して、前記ベースシート（１０）の外周縁から離隔した透磁性領域を画成するように設けられ、前記ベースシート（１０）を前記非接触ＩＣカード通信調整板（２）に重ね合わせた使用状態において前記ベースシート（１０）の上に重ねた前記非接触ＩＣカード（３）を前記外部装置（４）に向けたときに、前記非接触ＩＣカード通信調整板（２）の裏側に重ねた非接触ＩＣカード（３）に格納された情報の前記外部装置（４）による読み取りを不能にするものであることを特徴とする非接触ＩＣカード通信調整板（２）の特性変更カード（１Ａ）。
【００１１】
［４］  外部装置（４）と電磁波による非接触の通信が可能な非接触ＩＣカード（３）および非接触ＩＣカード通信調整板（２）を収納したままで使用する非接触ＩＣカードケースにおいて、
前記非接触ＩＣカード（３）を収納する非接触ＩＣカード収納部（５１）と、該非接触ＩＣカード収納部（５１）に収納した非接触ＩＣカード（３）と重ね合わさる位置に前記非接触ＩＣカード通信調整板（２）を収納する通信調整板収納部（５２）と、該通信調整板収納部（５２）と前記非接触ＩＣカード収納部（５１）とを分離している、透磁性の分離板（５３）とを有し、
前記分離板（５３）は、前記通信調整板収納部（５２）に収納した非接触ＩＣカード通信調整板（２）の両側長辺端および両側短辺端まで達して、前記分離板（５３）の外周縁から離隔した透磁性領域を画成する非透磁性の特性変更部が設けられていることを特徴とする非接触ＩＣカードケース（５）。
【００１２】
前記本発明は次のように作用する。  
非接触ＩＣカード通信調整板（２）の使用態様としては、一般に非接触ＩＣカード（３）に非接触ＩＣカード通信調整板（２）を重ね合わせて、非接触ＩＣカード（３）を外部装置（４）に向けた状態で外部装置（４）に近づけることにより、非接触ＩＣカード（３）に格納された情報を外部装置（４）に読み込ませるようにしている。また、非接触ＩＣカード通信調整板（２）が外部装置（４）に向いている面とは反対側の面に重ねた非接触ＩＣカード（３）からはその格納された情報は読み込まれないようになっている。この際、非接触ＩＣカード（３）に格納された情報の読み込みは、外部装置（４）が発信する電磁波を用いて行っている。
【００１３】
ところが、非接触ＩＣカード（３）に内蔵されているＩＣないし外部装置（４）の仕様が変更されたり、異なったりする場合には、非接触ＩＣカード（３）に格納された情報を外部装置（４）が読み込めなかったり、逆に、非接触ＩＣカード通信調整板（２）が外部装置（４）に向いている面とは反対側の面に重ねた非接触ＩＣカード（３）からその格納されている情報を外部装置（４）が読み込んでしまったりする読込みエラーが起こり得る。
【００１４】
このような使用環境において、非接触ＩＣカード通信調整板（２）の特性変更カード（１，１Ａ）を非接触ＩＣカード通信調整板（２）と併せて用いることにより、これらの読込みエラーを解消することができる。この特性変更カード（１，１Ａ）を使用する際は、非接触ＩＣカード通信調整板（２）に特性変更カード（１，１Ａ）を重ねた状態で、さらに特性変更カード（１，１Ａ）の上に非接触ＩＣカード（３）を重ねるだけでよい。すなわち、非接触ＩＣカード通信調整板（２）と非接触ＩＣカード（３）との間に特性変更カード（１，１Ａ）を挟むように重ね合わせるだけでよい。
【００１５】
［２］に記載の特性変更カード（１）は、非接触ＩＣカード（３）に格納された情報を外部装置（４）が読み込めない使用環境において使用するものであり、この特性変更カード（１）を非接触ＩＣカード通信調整板（２）に重ねたときに、特性変更カード（１）の高透磁性の特性変更部（１１）である１つ又は２つ以上の並行する帯状の磁性シートが非接触ＩＣカード通信調整板（２）の磁性シートと重なる。この磁性シートは、非接触ＩＣカード通信調整板（２）に重ね合わせた使用状態において非接触ＩＣカード通信調整板（２）の長端に沿う方向に一方の短辺部側から他方の短辺部側まで延設したものであるので、非接触ＩＣカード（３）に内蔵されているアンテナと重なり、もって、非接触ＩＣカード（３）と外部装置（４）との間の通信状態を向上させることができる。
【００１６】
また、磁性シートは、使用状態において非接触ＩＣカード通信調整板（２）の両側長端に沿うベースシート（１０）の長辺部の外縁、ベースシート（１０）の一方の短辺部の外縁、および他方の短辺部の外縁までは達していないので、外部装置（４）からの電磁波が非接触ＩＣカード通信調整板（２）の裏側まで回り込むことがなく、もって、非接触ＩＣカード通信調整板（２）の裏側に重ねてある非接触ＩＣカード（３）から情報を読み込んでしまう読込みエラーを発生させてしまうことがない。
【００１７】
［３］に記載の特性変更カード（１Ａ）は、格納した情報を外部装置（４）に読み込ませるために外部装置（４）に向けた非接触ＩＣカード（３）だけでなく、非接触ＩＣカード通信調整板（２）の裏側に重ねてある非接触ＩＣカード（３）に格納された情報をも外部装置（４）が読み込んでしまうような使用環境において使用するものである。この特性変更カード（１Ａ）を非接触ＩＣカード通信調整板（２）に重ねたときに、透磁性のベースシート（１０）の両側長辺部および両側短辺部それぞれの外縁まで達して、ベースシート（１０）の外周縁から離隔した透磁性領域を画成するように設けられた特性変更部（１１Ａ）が非接触ＩＣカード通信調整板（２）の周縁部と重なる。すなわち、特性変更カード（１Ａ）を非接触ＩＣカード通信調整板（２）に重ね合わせた使用状態において、非接触ＩＣカード通信調整板（２）の周縁部には、実質的に非透磁性の領域が設けられることになる。
【００１８】
これにより、使用状態において、特性変更カード（１Ａ）の上に重ねた非接触ＩＣカード（３）を外部装置（４）に向けたときに、外部装置（４）は、該外部装置（４）に向けられた非接触ＩＣカード（３）に格納された情報を読み取ることはできる。しかしながら、特性変更カード（１Ａ）の特性変更部（１１Ａ）による非透磁性の領域によって外部装置（４）からの電磁波が非接触ＩＣカード通信調整板（２）の裏側にまでは回り込めないので、非接触ＩＣカード通信調整板（２）の裏側に重ねた非接触ＩＣカード（３）に格納された情報までをも外部装置（４）が読み取ってしまう読取りエラーの発生を防止することができる。
【００１９】
［４］の非接触ＩＣカードケースは、前記した［３］の特性変更カード（１Ａ）を使用するような使用環境で使用するものである。非接触ＩＣカードケースの非接触ＩＣカード収納部（５１）に非接触ＩＣカード（３）を収納し、通信調整板収納部（５２）に非接触ＩＣカード通信調整板（２）を収納した使用状態においては、分離板（５３）に設けた非透磁性の特性変更部（１１Ａ）が、通信調整板収納部（５２）に収納した非接触ＩＣカード通信調整板（２）の両側長辺部および両側短辺部それぞれの外縁まで達して、分離板（５３）の外周縁から離隔した透磁性領域を画成しているので、［３］の特性変更カード（１Ａ）を使用したときと同様の作用効果を得ることができる。
【発明の効果】
【００２０】
本発明に係る非接触ＩＣカード通信調整板の特性変更カードによれば、長方形状のベースシートと、該ベースシートの少なくとも両側長辺部それぞれに沿って特性変更部を設けてあるので、非接触ＩＣカードと非接触ＩＣカード通信調整板との間に挟むように重ねた使用状態において、非接触ＩＣカードを前記外部装置に向けたときに、特性変更部の特性に応じて非接触ＩＣカードに格納された情報の外部装置による読み取りを向上させ、または非接触ＩＣカードを外部装置に向けたときに該外部装置に面しない側に重ねた非接触ＩＣカードに格納された情報を外部装置が読み取ってしまうことの防止効果を向上させることができる。
【００２１】
また、本発明に係る非接触ＩＣカード通信調整板の特性変更カードによれば、非接触ＩＣカードケースの非接触ＩＣカード収納部に収納した非接触ＩＣカードと通信調整板収納部に収納した非接触ＩＣカード通信調整板とを分離している分離板に設けた特性変更部が非透磁性であり、かつ、通信調整板収納部に収納したＩＣカード通信調整板の両側長辺部および両側短辺部それぞれの外縁まで達しているので、外部装置からの電磁波が非接触ＩＣカード通信調整板の裏側にまでは回り込めず、もって非接触ＩＣカード通信調整板の裏側に重ねた非接触ＩＣカードに格納された情報までをも外部装置が読み取ってしまう読取りエラーの発生を防止することができる。
【図面の簡単な説明】
【００２２】
【図１】本発明の第１の実施の形態に係る特性変更カードを示す平面図である。
【図２】図１の特性変更カードを非接触ＩＣカード通信調整板と重ねて使用する使用状態を例示する説明図である。
【図３】図１の特性変更カードを重ねる非接触ＩＣカード通信調整板の一例を示す平面図である。
【図４】図３の非接触ＩＣカード通信調整板の正面図である。
【図５】図３の非接触ＩＣカード通信調整板の側面図を９０度回転して縦にして示した図である。
【図６】図３の非接触ＩＣカード通信調整板に非接触ＩＣカードを重ねて使用するときの作用を説明する説明図である。
【図７】本発明の第１の実施の形態に係る特性変更カードと非接触ＩＣカード通信調整板と非接触ＩＣカードとを重ねて使用するときの作用を説明する説明図である。
【図８】非接触ＩＣカードを示す斜視図である。
【図９】非接触ＩＣカードの使用状態を示す概略図である。
【図１０】本発明の第２の実施の形態に係る特性変更カードを非接触ＩＣカード通信調整板と重ねて使用する使用状態を例示する説明図である。
【図１１】本発明の第３の実施の形態に係る財布を示す簡略図である。
【発明を実施するための形態】
【００２３】
以下、図面に基づき本発明の好適な各種の実施の形態を説明する。  
図１、図２および図７は、本発明の第１の実施の形態を示している。また、図３から図６までは非接触ＩＣカード通信調整板を示しており、図８は、非接触ＩＣカードを示す斜視図であり、図９は、非接触ＩＣカードの使用状態を示す概略図である。
【００２４】
図１は、本発明の第１の実施の形態に係る、非接触ＩＣカード通信調整板の特性変更カードを示す平面図である。図２は、図１の特性変更カードを非接触ＩＣカード通信調整板と重ねて使用する使用状態を例示する説明図である。
【００２５】
図２の（ａ）、（ｂ）、（ｃ）は、それぞれ左端に非接触ＩＣカード通信調整板２，２Ａ，２Ｂが、中央に本実施の形態に係る特性変更カード１が、右端に非接触ＩＣカード通信調整板２，２Ａ，２Ｂと特性変更カード１を重ねた使用状態が模式的に示されている。この図２に示すように、非接触ＩＣカード通信調整板２，２Ａ，２Ｂの特性変更カード１は、非接触ＩＣカード通信調整板２，２Ａ，２Ｂと組み合わせて使用するものである。図７に示すように、非接触ＩＣカード３は、非接触ＩＣカード通信調整板２，２Ａ，２Ｂに特性変更カード１を重ねたさらにその上に重ねて使用する。
【００２６】
特性変更カード１は、長方形状の透磁性のベースシート１０と、ベースシート１０の両側長辺部それぞれに沿って設けられたベースシート１０よりも高透磁性の特性変更部１１と、を有している。
【００２７】
特性変更部１１は、ベースシート１０に積層された、電磁波を透過させる２つの並行する帯状の磁性シートである。この特性変更部１１を成す磁性シートは、後述する非接触ＩＣカード通信調整板２の磁性シート２１，２１Ａ，２１Ｂと同様の材料で良く、プラスチックフィルム等に前記の材料を蒸着等させることによって形成することができる。また、前記の材料を公知の方法によりベースシート１０上に層状に形成してもよい。なお、特性変更部は、図示した２つの並行する帯状の磁性シートに限られず、２つ以上の並行する帯状のものであっても良い。また、ベースシート１０の周縁部を除いてベースシート１０を占めるように１つの磁性シートを設けてもよい。
【００２８】
ベースシート１０と磁性シートとを積層する方法としては、特に制限はなく、公知の方法を使用することができ、例えば、ベースシート１０となる２枚の同一形状のプラスチック製シートの１枚の片面に磁性シートを接着剤や粘着剤を介して接着する等の手段により、両者を積層し、この磁性シートを積層した面にもう１枚のシートを接着や熱圧着などによって貼り付ける等をしてもよい。
【００２９】
このようにして設けられる帯状の特性変更部１１それぞれは、ベースシート１０の長辺部１２に沿ってベースシート１０の一方の短辺部１３側から他方の短辺部１３側まで延設されている。ただし、特性変更部１１それぞれは、ベースシート１０の長辺部１２および短辺部１３のいずれの外縁にも達していない。
【００３０】
図２の（ａ）〜（ｃ）それぞれにおいて等号（＝）の右側に示したように、特性変更カード１を非接触ＩＣカード通信調整板２に重ね合わせた使用状態において、特性変更部１１は、非接触ＩＣカード通信調整板２の長辺端に沿う方向にベースシート１０の一方の短辺部１３側から他方の短辺部１３側まで延びているが非接触ＩＣカード通信調整板２の後述する磁性シート２１の占める領域から外に出ないように配設されている。
【００３１】
図８に示すように、非接触ＩＣカード通信調整板２，２Ａ，２Ｂを使用する非接触ＩＣカード３は、カード型の本体３１にＩＣチップ３２と該ＩＣチップ３２に接続されたアンテナコイル３３とが埋設されたものであり、電磁波を利用して無線で非接触に外部装置４との間でデータやプログラムの読み書きを行うものである。外部装置４はカードリーダ・ライタ等である。
【００３２】
図９に示すように、外部装置４側から非接触ＩＣカード３に誘導電磁波を照射すると、非接触ＩＣカード３側ではアンテナコイル３３が誘導電磁波を受信して、アンテナコイル３３に誘導起電力が生じる。この誘導起電力が非接触ＩＣカード３の駆動電力となるとともに誘導電磁波に重畳された電磁波によりＩＣチップ３２に記憶されたデータが読み取られる。
【００３３】
このような非接触ＩＣカード３に重ね合わせて使用する非接触ＩＣカード通信調整板２，２Ａ，２Ｂは、外部装置４と通信する非接触ＩＣカード３が外部装置４と通信するのを防止するために、非接触ＩＣカード３と外部装置４との間の電磁波を遮断ないし減衰させる作用を発揮することができるものである。
なお、以下、非接触ＩＣカード通信調整板２，２Ａ，２Ｂについての説明は、図２の（ｂ）に例示したタイプの非接触ＩＣカード通信調整板２を代表として説明する。
【００３４】
図２から図６に示すように、非接触ＩＣカード通信調整板２は、電磁波を遮断ないし減衰させるためのシールドシート２０に電磁波が透過する磁性シート２１を配設したものである。この非接触ＩＣカード通信調整板２は、図９に示すように外部装置４と非接触ＩＣカード３との間で行われる非接触の通信状態を調整するために使用するものである。
【００３５】
シールドシート２０は、略四辺形の平面形状に形成されており、その大きさは、非接触ＩＣカード３と重ね合わせたときに非接触ＩＣカード３に内蔵されるアンテナコイル３３より大きいものであることが好ましい。これにより、非接触ＩＣカード通信調整板２を非接触ＩＣカード３に重ね合わせたときに、非接触ＩＣカード通信調整板２の周縁からの電磁波の回り込みを減少させて、外部装置４と非接触ＩＣカード３との間の電磁波を確実に遮断ないし減衰させるようにすることができる。
【００３６】
非接触ＩＣカード３のアンテナコイル３３は、送信と受信を兼用するものであるが、これには限定されず、送信用、受信用に別個のアンテナを備えていてもよい。送信用と受信用に別個のアンテナを備えている場合には、いずれか一方のアンテナをシールドシート２０により遮蔽することができれば、非接触ＩＣカード３と外部装置４との通信を防止することができる。
【００３７】
このシールドシート２０は、導電性を備えることにより電磁シールド効果が得られる物質を用いて形成されている。金属であれば、例えば、金、銀、白金、銅、アルミニウム、鉄、ニッケル等である。また、金属以外の物質としては、例えば導電性セラミックなどを用いることができる。これら金属等は、メッシュ状、ラティス状、箔状、あるいは板状等に形成したものが使用される。
【００３８】
シールドシート２０は、所定の媒体から成る基体（Ｂａｓｅ）に前記のように形成した金属等を貼付等して設けたものであってもよい。基体の素材としては、例えば、シート状のプラスチック、布、紙等を使用することができる。
【００３９】
また、シールドシート２０は、平板状に形成した基体に粉状の金属等を塗布したものであってもよい。また、粉状のプラスチックに金属粉を含有させ、これを層状に成形したものであってもよい。さらに、層状の基体に金属等を貼付したり、縫い込んだりしてシールドシート２０を構成するようにしてもよい。
【００４０】
基体に使用するプラスチックは、例えば、ポリエチレン（ＰＥ）、ポリプロピレン（ＰＰ）、ポリエチレンテレフタレート（ＰＥＴ）等の任意の樹脂材料を用いることができる。これら樹脂材料を基体とする場合、シールドシート２０は、基体中に導電性パウダーが混入されたプラスチックフィルム状に形成されたもの、表面に金属薄膜が蒸着されたプラスチックフィルム状に形成されたもの、表面に金属箔が貼り付けられたプラスチックフィルム状に形成されたもの、表面に導電性樹脂が塗布されたプラスチックフィルム状に形成されたもの、内部に金属線又は金属製の網が埋め込まれたプラスチックフィルム状に形成されたもの等にすることができる。
【００４１】
以上のようにして形成したシールドシート２０は、透過しようとする電磁波を遮蔽することができる。
【００４２】
このシールドシート２０に積層する磁性シート２１は、非接触により外部装置４と通信する非接触ＩＣカード３が当該外部装置４と通信するのを誘導する役割を果たすものであり、シールドシート２０との組み合わせにより、非接触ＩＣカード３の通信状態を好適に調整するものである。
【００４３】
図３から図６までに例示した非接触ＩＣカード通信調整板２が備える磁性シート２１は、シールドシート２０の両面に積層されている。磁性シート２１は、シールドシート２０の両面それぞれに、並行する２本の帯状に形成されており、シールドシート２０の両側長辺部２２，２２それぞれに沿うように延設されている。
【００４４】
磁性シート２１は、透磁率μに優れた材料が使用される。例えば、使用する電磁波の周波数において、比透磁率は１００以上のものが好ましく、より好ましくは１０００以上のものである。具体的には、パーマロイ、フェライト、センダスト、方向性ケイ素鋼等を使用することができる。これにより、磁性シート２１は、電磁波を空気層よりも高密度に透過させることができる。
【００４５】
非接触ＩＣカード通信調整板２は、少なくとも非接触ＩＣカード３と同じ大きさのものである。
【００４６】
次に作用を説明する。  
先ず、非接触ＩＣカード３を非接触ＩＣカード通信調整板２に重ねて使用する場合の作用を説明する。
【００４７】
図６において、矢印は、非接触ＩＣカード３の情報を読み取るための電磁波（信号）を示している。また、「○」印は、通信が正常に行われることを示し、「×」印は、通信が正常に行われないことを示す。
【００４８】
図６においてシールドシート２０の左側から非接触ＩＣカード３ａに向かう電磁波は、非接触ＩＣカード３ａの裏面に配置されている磁性シート２１によってシールドシート２０の影響が軽減される。これにより、非接触ＩＣカード３ａは、外部装置４からの電磁波を受信することができ、また、外部装置４へ向けて電磁波を発信することができる。
【００４９】
これは、高透磁率の磁性シート２１中は磁界が集中しやすいため、非接触ＩＣカード３ａも磁界の中に置かれることになるからである。このようにシールドシート２０の左側から非接触ＩＣカード３ａに向かう方向に外部装置４が電磁波を発信したときには、非接触ＩＣカード３ａと外部装置４との間で通信をすることができる。
【００５０】
一方、同じシールドシート２０の左側から非接触ＩＣカード３ａに向かう電磁波は、シールドシート２０の右側に重ね合わせられた非接触ＩＣカード３ｂに対しては、非接触ＩＣカード通信調整板２のシールドシート２０によって遮蔽されるので、非接触ＩＣカード３ｂに到達することはない。このため、非接触ＩＣカード３ｂが非接触ＩＣカード通信調整板２を挟んで反対側から来る電磁波を受信してしまうことはなく、外部装置４と非接触ＩＣカード３ｂとの間で不都合な通信が行われてしまうことを防止することができる。このような作用は、シールドシート２０の右側から非接触ＩＣカード３ｂに向かう電磁波についても全く同様である。
【００５１】
本実施の形態に係る特性変更カード１は、非接触ＩＣカード３を非接触ＩＣカード通信調整板２に重ねて使用するときに、非接触ＩＣカード３に格納されている情報をリーダーたる外部装置４が読み取れなかったり、読み取りにくかったりして読み取りエラーが発生するような使用環境において使用するものであり、外部装置４が非接触ＩＣカード３から確実に情報を読み取ることができるようにするために使用するものである。このような状況の発生としては、非接触ＩＣカード３に内蔵されているＩＣないし外部装置４の仕様が変更されたり、異なったりする場合などがある。
【００５２】
このような使用環境において、非接触ＩＣカード通信調整板の特性変更カード１を非接触ＩＣカード通信調整板２と併せて用いることにより、これらの読み込みエラーを解消することができる。  
【００５３】
図２に示したように、非接触ＩＣカード通信調整板２の使用態様は、非接触ＩＣカード通信調整板２，２Ａ，２Ｂの磁性シート２１，２１Ａ，２１Ｂがどのような形状のものであっても、非接触ＩＣカード通信調整板２，２Ａ，２Ｂに特性変更カード１を重ねればよい。非接触ＩＣカード３は、非接触ＩＣカード通信調整板２，２Ａ，２Ｂに重ねた特性変更カード１の上にさらに重ねるようにする。すなわち、非接触ＩＣカード通信調整板２と非接触ＩＣカード３との間に特性変更カード１を挟むように重ね合わせるだけでよい。このとき、特性変更カード１は、非接触ＩＣカード３に密着するように重ねることが好ましく、さらには非接触ＩＣカード通信調整板２，２Ａ，２Ｂにも密着するように重ねることがより好ましい。
【００５４】
図７は、特性変更カード１を非接触ＩＣカード通信調整板２と重ね合わせ、さらに特性変更カード１に非接触ＩＣカード３を重ねて使用するときの作用を説明する説明図である。図７に例示したものは、図６において非接触ＩＣカード通信調整板２の左側に特性変更カード１を重ねたものである。
【００５５】
図示したように、特性変更カード１を重ねた非接触ＩＣカード通信調整板２の左側では、非接触ＩＣカード通信調整板２の磁性シート２１と特性変更カード１の特性変更部１１すなわち磁性シートとが重なっている。これにより、誘導電磁波に重畳された電磁波が特性変更カード１を重ねていない非接触ＩＣカード通信調整板２の右側の場合よりも強くなる。したがって、外部装置４による非接触ＩＣカード３からの情報の読み取りがより確実に行えるようになり、非接触ＩＣカード３と外部装置４との間の通信状態を向上させることができる。
【００５６】
また、磁性シートである特性変更部１１は、使用状態において非接触ＩＣカード通信調整板２の外周縁までは達していないので、外部装置４からの電磁波が非接触ＩＣカード通信調整板２の裏側（図７においては非接触ＩＣカード通信調整板２の右側）まで回り込むことがない。したがって、非接触ＩＣカード通信調整板２の裏側に重ねてある非接触ＩＣカード３から情報を読み込んでしまう読込みエラーを発生させてしまう恐れはない。
【００５７】
次に、本発明の第２の実施の形態について説明する。  
図１０は、本発明の第２の実施の形態を示している。
【００５８】
図１０の（ａ）、（ｂ）、（ｃ）は、それぞれ左端に非接触ＩＣカード通信調整板２，２Ａ，２Ｂが、中央に本実施の形態に係る特性変更カード１Ａが、右端に非接触ＩＣカード通信調整板２，２Ａ，２Ｂと特性変更カード１Ａを重ねた使用状態が模式的に示されている。この図１０に示すように、特性変更カード１Ａは、非接触ＩＣカード通信調整板２，２Ａ，２Ｂと組み合わせて使用するものである。本実施の形態に係る特性変更カード１Ａを用いる場合も、非接触ＩＣカード３は、非接触ＩＣカード通信調整板２，２Ａ，２Ｂに特性変更カード１Ａを重ねたさらにその上に重ねて使用する。
【００５９】
特性変更カード１Ａは、長方形状の透磁性のベースシート１０と、ベースシート１０の両側長辺部それぞれに沿って設けられたベースシート１０よりも非透磁性の特性変更部１１Ａと、を有している。ベースシート１０は、非接触ＩＣカード通信調整板２，２Ａ，２Ｂよりも大きければよいが、非接触ＩＣカード通信調整板２，２Ａ，２Ｂとほぼ同一の大きさでも良い。特性変更部１１Ａは、前記した非接触ＩＣカード通信調整板２のシールドシート２０と同様のもので良く、導電性を備えることにより電磁シールド効果が得られる物質を用いて形成されている。
【００６０】
特性変更部１１Ａは、ベースシート１０の両側長辺部および両側短辺部それぞれの外縁まで達している。すなわち、ベースシート１０の外周縁を縁取るように設けられている。したがって、特性変更部１１Ａに縁取られた領域の内側には、透磁性領域が画成されている。これにより、特性変更カード１Ａを非接触ＩＣカード通信調整板２に重ね合わせた使用状態において、特性変更カード１Ａの上に重ねた非接触ＩＣカード３を外部装置４に向けたときの非接触ＩＣカード３に格納された情報の読み取りは、外部装置４からの電磁波が特性変更カード１Ａの透磁性領域を通って非接触ＩＣカード通信調整板２の磁性シート２１に達するので、特性変更カード１Ａを使用しないときと同程度に行うことができる。
【００６１】
一方、外部装置４からの電磁波は、特性変更カード１Ａの外周縁を縁取っている特性変更部１１Ａによって非接触ＩＣカード通信調整板２の裏側まで回りこむことが無いので、非接触ＩＣカード通信調整板２の裏側に重ねた非接触ＩＣカード３に格納された情報を外部装置４が読み取ってしまうことがない。
【００６２】
次に作用を説明する。  
本実施の形態に係る特性変更カード１Ａは、非接触ＩＣカード３を非接触ＩＣカード通信調整板２に重ねて使用するときに、外部装置４による非接触ＩＣカード３からの情報の読み取り能力が大きすぎて、非接触ＩＣカード通信調整板２が外部装置４に向いている面とは反対側の面に重ねた非接触ＩＣカード３からもその格納されている情報を読み込んでしまうことによって読み込みエラーが起こるような使用環境において使用するものであり、外部装置４からの電磁波が非接触ＩＣカード通信調整板２の裏側に回り込まないようにして、前記の読み込みエラーの発生を防止するものである。
【００６３】
図１０に示したように、非接触ＩＣカード通信調整板２の使用態様は、非接触ＩＣカード通信調整板２，２Ａ，２Ｂの磁性シート２１，２１Ａ，２１Ｂがどのような形状のものであっても、非接触ＩＣカード通信調整板２，２Ａ，２Ｂに特性変更カード１Ａを重ねればよい。非接触ＩＣカード３は、非接触ＩＣカード通信調整板２，２Ａ，２Ｂに重ねた特性変更カード１Ａの上にさらに重ねるようにする。すなわち、非接触ＩＣカード通信調整板２と非接触ＩＣカード３との間に特性変更カード１Ａを挟むように重ね合わせるだけでよい。このとき、特性変更カード１Ａは、非接触ＩＣカード３に密着するように重ねることが好ましく、さらには非接触ＩＣカード通信調整板２，２Ａ，２Ｂに密着するように重ねることがより好ましい。
【００６４】
この特性変更カード１Ａを非接触ＩＣカード通信調整板２に重ねたときに、透磁性のベースシート１０の両側長辺部および両側短辺部それぞれの外縁まで達して、ベースシート１０の外周縁から離隔した透磁性領域を画成するように設けられている特性変更部１１Ａが非接触ＩＣカード通信調整板２の周縁部と重なる。これにより、特性変更カード１Ａと非接触ＩＣカード通信調整板２を重ね合わせた使用状態では、非接触ＩＣカード通信調整板２の周縁部には、電磁シールド効果を発揮する非透磁性の領域が設けられることになる。
【００６５】
これにより、使用状態において、特性変更カード１Ａの上に重ねた非接触ＩＣカード３を外部装置４に向けると、外部装置４からの電磁波は、外部装置４に向けられた非接触ＩＣカード３に至り、非接触ＩＣカード３の裏面に配置されている特性変更カード１Ａの透磁性領域を透過して非接触ＩＣカード通信調整板２の高透磁率の磁性シート２１に至る。したがって、非接触ＩＣカード３と外部装置４との間で通信をすることができる。
【００６６】
一方、非接触ＩＣカード通信調整板２の周縁部は、特性変更カード１Ａの特性変更部１１Ａによる非透磁性の領域に覆われているので、外部装置４からの電磁波が非接触ＩＣカード通信調整板２の裏側にまでは回り込めない。したがって、非接触ＩＣカード通信調整板２の裏側に重ねた非接触ＩＣカード３と外部装置４とは通信をすることができず、非接触ＩＣカード３に格納された情報までをも外部装置４が読み取ってしまう読取りエラーの発生を防止することができる。
【００６７】
次に、本発明の第３の実施の形態について説明する。  
図１１は、本発明の第３の実施の形態に係る非接触ＩＣカードケースを示す斜視図である。  
非接触ＩＣカードケース５は、非接触ＩＣカード３を収納したままで非接触ＩＣカード３と外部装置４とを非接触で通信することができるようにしたものである。この非接触ＩＣカードケース５は、非接触ＩＣカード３を収納する、断面が略矩形状の非接触ＩＣカード収納部５１と、非接触ＩＣカード収納部５１に収納した非接触ＩＣカード３と重ね合わさる位置に非接触ＩＣカード通信調整板２を収納する通信調整板収納部５２とが形成されている。その内部には、非接触ＩＣカード収納部５１と通信調整板収納部５２に仕切る分離板５３が取り付けられている。この分離板５３は、前記の第２の実施の形態で説明した特性変更カード１Ａであり、非接触ＩＣカード収納部５１から脱落しないように、接着、溶着、縫付け等によって取り付けられている。
【００６８】
非接触ＩＣカード収納部５１に収納した非接触ＩＣカード３は、通信調整板収納部５２に収納した非接触ＩＣカード通信調整板２と重ね合わさったアンテナコイル３３の一部が必ず磁性シート２１と重なるような大きさおよび形状に形成されている。また、通信調整板収納部５２に収納した非接触ＩＣカード通信調整板２は、分離板５３と重なるが、その状態は、第２の実施の形態で説明した非接触ＩＣカード通信調整板２と特性変更カード１Ａとを重ねた使用状態と同じになる。
【００６９】
通信調整板収納部５２には、非接触ＩＣカード３も入れておくことができる。したがって、非接触ＩＣカードケース５は、第２の実施の形態に係る特性変更カード１Ａを使用したときと同様の作用効果をもたらすことができる。
【００７０】
なお、分離板５３は、第１の実施の形態に係る特性変更カード１を使用するような使用環境で使用する場合に対応して、特性変更カード１と同様な構成を有するものとしても良い。
【産業上の利用可能性】
【００７１】
非接触ＩＣカードに重ね合わせて使用する、外部装置と非接触ＩＣカードとの通信状態を調整するための非接触ＩＣカード通信調整板の特性を変更するものであるので、非接触ＩＣカードと非接触ＩＣカード通信調整板とを収納可能な財布にも適用することができる。
【符号の説明】
【００７２】
１…特性変更カード
１Ａ…特性変更カード
２…非接触ＩＣカード通信調整板
３…非接触ＩＣカード
４…外部装置
５…非接触ＩＣカードケース
１０…ベースシート
１１，１１Ａ…特性変更部
１２…長辺部
１３…短辺部
２０…シールドシート
２１…磁性シート
２２…長辺部
３０…非接触ＩＣカード
３０ａ…非接触ＩＣカード
３０ｂ…非接触ＩＣカード
３１…本体
３２…ＩＣチップ
３３…アンテナコイル
５１…非接触ＩＣカード収納部
５２…通信調整板収納部
５３…分離板
【図１】
2011013799.tif 000003
【図２】
2011013799.tif 000004
【図３】
2011013799.tif 000005
【図４】
2011013799.tif 000006
【図５】
2011013799.tif 000007
【図６】
2011013799.tif 000008
【図７】
2011013799.tif 000009
【図８】
2011013799.tif 000010
【図９】
2011013799.tif 000011
【図１０】
2011013799.tif 000012
【図１１】
2011013799.tif 000013